(57)【要約】      （修正有）【課題】  カメラで撮影された第１映像信号または一般モードでディスプレーされる第２映像信号を基準信号と比較し偏差信号を発生し、偏差信号によって映像補正された第１映像信号または第２映像信号を供給するための補正部を具備した移動通信端末機を提供する。【解決手段】  映像補正装置が具備された移動通信端末機の開示。カメラモードで撮影された第１映像信号または一般モードでディスプレーされた第２映像信号の供給を受け基準信号と比較して偏差信号を供給する比較部を有し、偏差信号によりホワイトバランシング及びガンマ補正された第１または第２映像信号を供給する補正部を具備した映像補正装置によって第１映像信号がディスプレーされる映像の輝度及びホワイトバランスが第２映像信号がディスプレーされる映像の輝度及びホワイトバランスと同一または同様にする。【選択図】  図１Ｂ
2006311471.tif 000002
【特許請求の範囲】
【請求項１】
外部の映像を撮影するためのカメラ、カメラモードで前記カメラにより撮影された第１映像信号及び一般モードでディスプレーされる第２映像信号を保存するためのメモリー部及び前記第１映像信号または前記第２映像信号をディスプレーするための液晶表示装置を具備した移動通信端末機において、
前記液晶表示装置は、
前記メモリー部から前記第１映像信号または前記第２映像信号の供給を受けて基準信号と比較して偏差信号を発生させて、前記偏差信号によって補正された第１映像信号または補正された第２映像信号を供給するためのタイミング制御器と、
複数のスキャンライン及び複数のデータラインにより形成される複数の画素を具備して、前記カメラモード時には前記補正された第１映像信号をディスプレーして、前記一般モード時には前記補正された第２映像信号をディスプレーするための液晶表示パネルと、
前記液晶表示パネルに前記複数のスキャンラインを介してスキャン信号を供給するためのスキャンドライバー、及び
前記スキャン信号により選択された複数の画素に前記複数のデータラインを介して前記補正された第１映像信号または前記補正された第２映像信号を供給するためのデータドライバーを含む移動通信端末機。
【請求項２】
前記タイミング制御器は、
前記メモリー部から前記第１映像信号または前記第２映像信号の供給を受けて基準信号と比較して、偏差信号を供給するための比較部、及び
前記比較部から供給される前記偏差信号によって前記補正された第１映像信号または前記補正された第２映像信号を供給するための補正部を含むことを特徴とする請求項１に記載の移動通信端末機。
【請求項３】
前記比較部は、
前記第１映像信号または前記第２映像信号の供給を受けてホワイトバランシング基準信号と比較して第１偏差信号を供給するための第１比較部、及び
前記第１映像信号または前記第２映像信号の供給を受けてガンマ補正基準信号と比較して第２偏差信号を供給するための第２比較部を具備することを特徴とする請求項２に記載の移動通信端末機。
【請求項４】
前記補正部は、
前記第１比較部から供給される前記第１偏差信号によって前記第１映像信号または前記第２映像信号をホワイトバランシングするための第１補正部、及び
前記第２比較部から供給される前記第２偏差信号によって前記第１映像信号または前記第２映像信号をガンマ補正するための第２補正部を具備することを特徴とする請求項３に記載の移動通信端末機。
【請求項５】
外部の映像を撮影するためのカメラ、カメラモードで前記カメラにより撮影された第１映像信号及び一般モードでディスプレーされる第２映像信号を保存するためのメモリー部及び前記第１映像信号または前記第２映像信号をディスプレーするための液晶表示装置を具備した移動通信端末機において、
前記液晶表示装置は、
前記メモリー部から前記第１映像信号または前記第２映像信号の供給を受けて基準信号と比較して偏差信号を発生させて、前記偏差信号によって補正された第１映像信号または補正された第２映像信号を供給するための映像補正装置と、
映像をディスプレーするための制御信号を供給して、前記映像補正装置から供給される前記補正された第１映像信号または前記補正された第２映像信号を供給するためのタイミング制御器と、
複数のスキャンライン及び複数のデータラインにより形成される複数の画素を具備して前記カメラモード時、前記補正された第１映像信号をディスプレーして、前記一般モード時、前記補正された第２映像信号をディスプレーするための液晶表示パネルと、
前記液晶表示パネルに前記複数のスキャンラインを介してスキャン信号を供給するためのスキャンドライバーと、
前記スキャン信号により選択された複数の画素に前記複数のデータラインを介して前記補正された第１映像信号または前記補正された第２映像信号を供給するためのデータドライバーを含む移動通信端末機。
【請求項６】
前記映像補正装置は、
前記メモリー部から前記第１映像信号または前記第２映像信号の供給を受けて基準信号と比較して偏差信号を発生させるための比較部、及び
前記比較部から供給される前記偏差信号によって前記補正された第１映像信号または前記補正された第２映像信号を供給するための補正部を含むことを特徴とする請求項５に記載の移動通信端末機。
【請求項７】
前記比較部は、
前記第１映像信号または前記第２映像信号の供給を受けてホワイトバランシング基準信号と比較して第１偏差信号を供給するための第１比較部、及び
前記第１映像信号または前記第２映像信号の供給を受けてガンマ補正基準信号と比較して第２偏差信号を供給するための第２比較部を具備することを特徴とする請求項６に記載の移動通信端末機。
【請求項８】
前記補正部は、
前記第１比較部から供給される前記第１偏差信号によって前記第１映像信号または前記第２映像信号をホワイトバランシングするための第１補正部、及び
前記第２比較部から供給される前記第２偏差信号によって前記第１映像信号または前記第２映像信号をガンマ補正するための第２補正部を具備することを特徴とする請求項７に記載の移動通信端末機。
【発明の詳細な説明】
【技術分野】
【０００１】
本発明はカメラが具備された移動通信端末機に係り、さらに詳細にはカメラモードでディスプレーされる映像が一般モードでディスプレーされる映像と同一な輝度及び同一なホワイトバランスを有するようにする映像補正装置を具備した移動通信端末機に関する。
【背景技術】
【０００２】
前記移動通信端末機はカメラモードまたは一般モードに対する選択信号を供給するためのキー入力部、前記モード選択信号の供給を受けてカメラモード制御信号または一般モード制御信号を供給するための中央処理部、前記カメラモード制御信号によって外部の映像を撮影して、撮影された第１映像信号を補正して出力するためのカメラ、前記カメラから前記補正された第１映像信号及び一般モードでディスプレーされる第２映像信号を保存するためのメモリー部、前記モード制御信号によって前記第１映像信号または前記第２映像信号をディスプレーするための液晶表示パネル、前記液晶表示パネルに走査信号を供給するためのスキャンドライバー、前記走査信号により選択された画素にデータ信号を供給するためのデータドライバー、及び、前記第２映像信号を補正する映像補正装置を具備して前記スキャンドライバー及び前記データドライバーを制御する制御信号を供給するためのタイミング制御器を具備する。また前記移動通信端末機は通信を遂行するためにＲＦ部及びオーディオ回路部をさらに具備する。
【０００３】
たとえば、前記キー入力部によりカメラモード選択信号が前記中央処理部に供給されて、前記中央処理部がカメラモード制御信号を前記液晶表示装置に供給すると、前記カメラにより撮影されて、また前記カメラに具備された映像補正装置により映像補正された第１映像信号が前記液晶表示パネルにディスプレーされる。また前記キー入力部により前記一般モード選択信号が前記中央処理部に供給されて、前記液晶表示装置が前記一般モードで動作される時、前記第２映像信号が前記液晶表示パネルにディスプレーされる。この時、前記カメラモード時ディスプレーされる前記映像補正された第１映像信号の輝度及びホワイトバランスは前記一般モード時ディスプレーされる前記第２映像信号の輝度及びホワイトバランスより落ちるという問題点がある。また前記カメラによる映像補正機能は前記タイミング制御器の映像補正機能と重複して前記カメラと前記液晶表示装置をチューニングするのに多くの時間と努力が必要となるという問題点がある。
【発明の開示】
【発明が解決しようとする課題】
【０００４】
前記問題点を解決するための本発明は、カメラにより撮影された第１映像信号または一般モードでディスプレーされる第２映像信号の供給を受けて基準信号と比較して偏差信号を発生させるための比較部、前記比較部から前記偏差信号の供給を受けて、前記偏差信号によって映像補正された第１映像信号または第２映像信号を供給するための補正部を具備した映像補正装置を含む移動通信端末機を提供することにある。
【課題を解決するための手段】
【０００５】
前記問題を解決するための本発明は、外部の映像を撮影するためのカメラ、カメラモードで前記カメラにより撮影された第１映像信号及び一般モードでディスプレーされる第２映像信号を保存するためのメモリー部及び前記第１映像信号または前記第２映像信号をディスプレーするための液晶表示装置を具備した移動通信端末機において、前記液晶表示装置は、前記メモリー部から前記第１映像信号及び前記第２映像信号の供給を受けて基準信号と比較して偏差信号を発生させて、前記偏差信号によって補正された第１映像信号または補正された第２映像信号を供給するためのタイミング制御器と、複数のスキャンライン及び複数のデータラインにより形成される複数の画素を具備して前記カメラモード時には前記補正された第１映像信号をディスプレーして、前記一般モード時には前記補正された第２映像信号をディスプレーするための液晶表示パネルと、前記液晶表示パネルに前記複数のスキャンラインを介してスキャン信号を供給するためのスキャンドライバー、及び前記スキャン信号により選択された複数の画素に前記複数のデータラインを介して前記補正された第１映像信号または前記補正された第２映像信号を供給するためのデータドライバーを含む移動通信端末機を提供することにある。
【０００６】
前記タイミング制御器は、前記メモリー部から前記第１映像信号または前記第２映像信号の供給を受けて基準信号と比較して、偏差信号を供給するための比較部、及び前記比較部から供給される前記偏差信号によって前記補正された第１映像信号または前記補正された第２映像信号を供給するための補正部を含むことを特徴とする。
【０００７】
前記目的は、外部の映像を撮影するためのカメラ、カメラモードで前記カメラにより撮影された第１映像信号及び一般モードでディスプレーされる第２映像信号を保存するためのメモリー部及び前記第１映像信号または前記第２映像信号をディスプレーするための液晶表示装置を具備した移動通信端末機において、前記液晶表示装置は、前記メモリー部から前記第１映像信号または前記第２映像信号の供給を受けて基準信号と比較して偏差信号を発生させて、前記偏差信号によって補正された第１映像信号または補正された第２映像信号を供給するための映像補正装置と、映像をディスプレーするための制御信号を供給して、前記映像補正装置から供給される前記補正された第１映像信号または前記補正された第２映像信号を供給するためのタイミング制御器と、複数のスキャンライン及び複数のデータラインにより形成される複数の画素を具備して前記カメラモード時、前記補正された第１映像信号をディスプレーして、前記一般モード時、前記第２映像信号をディスプレーするための液晶表示パネルと、前記液晶表示パネルに前記複数のスキャンラインを介してスキャン信号を供給するためのスキャンドライバー、及び前記スキャン信号により選択された複数の画素に前記複数のデータラインを介して前記第１映像信号または前記補正された第２映像信号を供給するためのデータドライバーを含む移動通信端末機を介しても達成することができる。
【０００８】
前記映像補正装置は、前記メモリー部から前記第１映像信号または前記第２映像信号の供給を受けて基準信号と比較して偏差信号を発生させるための比較部、及び前記比較部から供給される前記偏差信号によって前記補正された第１映像信号または前記補正された第２映像信号を供給するための補正部を含むことを特徴とする。
【発明の効果】
【０００９】
前記本発明は、第１映像信号または第２映像信号の供給を受けて基準信号と比較して偏差信号を供給するための比較部、前記偏差信号の供給を受けて前記偏差信号によって補正された第１映像信号または補正された第２映像信号を供給するための補正部を介して前記補正された第１映像信号または前記補正された第２映像信号を液晶表示パネルにディスプレーすることによって、カメラモードで第１映像信号がディスプレーされる映像の輝度及びホワイトバランスは一般モードで第２映像信号がディスプレーされる映像の輝度及びホワイトバランスと同一または同様であるようになる。また本発明は従来のカメラに具備された映像補正及び液晶表示装置という重複した機能を一元化することによって、カメラと液晶表示装置をチューニング（ｔｕｎｉｎｇ）するのにかかる時間及び費用を節減させる。
【００１０】
下記では本発明の望ましい実施形態を参照しながら説明するが、該技術分野の熟練された当業者は特許請求の範囲に記載された本発明の思想及び領域から外れない範囲内で本発明を多様に修正及び変更させることができることは理解できることである。
【発明を実施するための最良の形態】
【００１１】
以下、本発明を添付した図面を参照して説明する。
実施形態１
【００１２】
図１Ａは本発明の第１実施形態による移動通信端末機の回路構成を示すブロック図である。
【００１３】
図１Ａを参照すると、前記移動通信端末機はキーボード１００、制御部１１０、カメラ１４０、メモリー部１５０、タイミング制御器１６０、スキャンドライバー１７０、データドライバー１８０、液晶表示パネル１９０、ＲＦ部１２０、オーディオ回路部１３０を含む。
【００１４】
前記キーボード１００は一般モードまたはカメラモードに対する選択信号を前記制御部１１０に供給する。
【００１５】
前記制御部１１０は前記選択信号の供給を受けて一般モード制御信号またはカメラモード制御信号を供給して前記移動通信端末機を制御する。
【００１６】
前記カメラ１４０は前記カメラモード制御信号の供給を受けて外部映像を撮影して、前記撮影された第１映像信号を前記メモリー部１５０に供給する。
【００１７】
前記メモリー部１５０は前記第１映像信号及び前記一般モードでディスプレーされる第２映像信号を保存して、前記モード制御信号によって前記第１映像信号または前記第２映像信号を前記タイミング制御器１６０に供給する。
【００１８】
前記タイミング制御器１６０は前記モード制御信号によって前記第１映像信号または前記第２映像信号の供給を受けて基準信号と比較して偏差信号を発生させて、前記偏差信号によって補正された前記第１映像信号または補正された前記第２映像信号を前記データドライバー１８０に供給する。前記タイミング制御器１６０の映像補正動作は図１Ｂで詳細に説明する。
【００１９】
また前記タイミング制御器１６０は映像ディスプレーに必要なスキャンドライバー制御信号及びデータドライバー制御信号をそれぞれ前記スキャンドライバー１７０及び前記データドライバー１８０に供給する。
【００２０】
前記スキャンドライバー１７０は前記スキャンドライバー制御信号によってスキャンラインを介してスキャン信号を前記液晶表示パネル１９０に供給して前記液晶表示パネル１９０に具備された複数の画素を選択する。
【００２１】
前記データドライバー１８０は前記スキャン信号により選択された複数の画素にデータラインを介して前記補正された第１映像信号または前記補正された第２映像信号を供給する。
【００２２】
前記液晶表示パネル１９０はデータラインとスキャンラインが交差する領域で定義される複数の画素を有する。前記複数の画素を構成するそれぞれの画素はデータラインとスキャンラインにそれぞれソース電極とゲート電極が連結される薄膜トランジスタ、前記薄膜トランジスタのドレイン電極と共通電圧間に連結する液晶キャパシター及び前記薄膜トランジスタのドレイン電極と共通電圧に連結されるストレージキャパシターを含む。前記液晶キャパシターＣＬＣは画素電極と共通電極間に印加されるデータ信号すなわち、前記補正された第１映像信号または前記補正された第２映像信号によって所定の配向状態を有して、前記配向状態によって映像の階調が表現される。
【００２３】
前記ＲＦ（Ｒａｄｉｏ  Ｆｒｅｑｕｅｎｃｙ）部１２０は前記移動通信端末機の通信を遂行する。前記ＲＦ部１２０は送信される信号の周波数を上昇変換及び増幅するＲＦ送信機と、受信される信号を低雑音増幅して周波数を下降変換するＲＦ受信機などを含む。
【００２４】
前記オーディオ回路部１３０は前記ＲＦ受信機から信号の供給を受けてオーディオ信号を再生する。
【００２５】
図１Ｂは前記図１Ａのタイミング制御器１６０の映像補正動作を示すブロック図である。
【００２６】
図１Ｂを参照すると、前記タイミング制御器１６０は比較部１６１、補正部１６４を具備する。
【００２７】
前記比較部１６１は第１比較部１６２及び第２比較部１６３を具備する。
【００２８】
前記第１比較部１６２は前記メモリー部１５０から第１映像信号または第２映像信号の供給を受けてホワイトバランシング基準信号と比較して第１偏差信号を発生させて、前記第１偏差信号を第１補正部１６５に供給する。
【００２９】
前記第２比較部１６３は前記メモリー部１５０から前記第１映像信号または前記第２映像信号の供給を受けてガンマ補正基準信号と比較して第２偏差信号を発生させて、前記第２偏差信号を第２補正部１６６に供給する。
【００３０】
前記補正部１６４は第１補正部１６５及び第２補正部１６６を具備する。
【００３１】
前記第１補正部１６５は前記第１偏差信号の供給を受けて、前記第１偏差信号によってホワイトバランシングされた第１映像信号または第２映像信号を前記データドライバー１８０に供給する。
【００３２】
前記第２補正部１６６は前記第２偏差信号の供給を受けて、前記第２偏差信号によってガンマ補正された第１映像信号または第２映像信号を前記データドライバー１８０に供給する。
【００３３】
たとえば、前記第１比較部１６２及び前記第２比較部１６３に供給される前記第１映像信号または前記第２映像信号がそれぞれ前記ホワイトバランシング基準信号及び前記ガンマ補正基準信号と差がない場合、前記第１偏差信号及び前記第２偏差信号は発生しない。したがって前記第１映像信号または前記第２映像信号に対するホワイトバランシング及びガンマ補正がそれぞれ第１補正部１６５及び第２補正部１６６により遂行されない。その結果前記第１映像信号及び前記第２映像信号がそのまま前記データドライバー１８０に供給されて前記液晶表示パネル１９０にディスプレーされる。
【００３４】
前記第１偏差信号が発生しなくて、前記第２偏差信号が発生する場合、前記第１映像信号または前記第２映像信号に対するホワイトバランシングは前記第１補正部１６５により遂行されないが、前記第２補正部１６６により前記第２偏差信号によってガンマ補正が遂行される。その結果前記第２補正部１６６によりガンマ補正された前記第１映像信号または前記第２映像信号が前記データドライバー１８０に供給されて前記液晶表示パネル１９０にディスプレーされる。
【００３５】
前記第１偏差信号が発生して、前記第２偏差信号が発生しない場合、前記第１映像信号または前記第２映像信号に対するホワイトバランシングが前記第１偏差信号によって第１補正部１６５により遂行されて、前記第２補正部１６６によるガンマ補正は遂行されない。その結果前記第１補正部１６５によりホワイトバランシングされた前記第１映像信号または前記第２映像信号が前記データドライバー１８０に供給される。
【００３６】
前記第１偏差信号及び前記第２偏差信号が発生する場合、前記第１映像信号または前記第２映像信号に対するホワイトバランシング及びガンマ補正がそれぞれ前記第１補正部１６５及び前記第２補正部１６６により遂行される。その結果前記第１補正部１６５及び前記第２補正部１６６によりそれぞれホワイトバランシング及びガンマ補正された前記第１映像信号または前記第２映像信号が前記データドライバー１８０に供給される。
実施形態２
【００３７】
図２は本発明の第２実施形態による移動通信端末機の回路構成を示したブロック図である。
【００３８】
図２を参照すると、前記移動通信端末機はキーボード２００、制御部２１０、カメラ２４０、メモリー部２５０、映像補正装置２６０、タイミング制御器２７０、スキャンドライバー２８０、データドライバー２９０、液晶表示パネル３００、ＲＦ部２２０及びオーディオ回路部２３０を含む。
【００３９】
前記キーボード２００は一般モードまたはカメラモードに対する選択信号を前記制御部２１０に供給する。
【００４０】
前記制御部２１０は前記選択信号によって一般モード制御信号またはカメラモード制御信号を前記移動通信端末機に供給する。
【００４１】
前記カメラ２４０は前記カメラモード制御信号によって外部映像を撮影して、撮影された第１映像信号を前記メモリー部２５０に供給する。
【００４２】
前記メモリー部２５０は前記第１映像信号及び一般モードでディスプレーされる第２映像信号を保存して、前記モード制御信号によって前記第１映像信号または前記第２映像信号を前記映像補正装置２６０に供給する。
【００４３】
前記映像補正装置２６０は前記モード制御信号によって前記第１映像信号または前記第２映像信号の供給を受けて基準信号と比較して、偏差信号を発生させて、前記偏差信号によって補正された前記第１映像信号または前記第２映像信号を前記タイミング制御器２７０に供給する。前記映像補正装置２６０の映像補正動作は図２Ｂで説明する。
【００４４】
前記タイミング制御器２７０は前記補正された第１映像信号または第２映像信号の供給を受けて前記データドライバー２９０に供給する。また前記タイミング制御器２７０は映像ディスプレーのためのスキャンドライバー制御信号及びデータドライバー制御信号を前記スキャンドライバー２８０及び前記データドライバー２９０に供給する。
【００４５】
前記スキャンドライバー２８０は前記スキャンドライバー制御信号によってスキャンラインを介してスキャン信号を前記液晶表示パネル３００に供給して前記液晶表示パネル３００に具備された複数の画素を選択する。
【００４６】
前記データドライバー２９０は前記スキャン信号により選択された複数の画素にデータラインを介して前記補正された第１映像信号または前記補正された第２映像信号を供給する。
【００４７】
前記液晶表示パネル３００はデータラインとスキャンラインが交差する領域で定義される複数の画素を有する。前記複数の画素を構成するそれぞれの画素はデータラインとスキャンラインにそれぞれソース電極とゲート電極が連結される薄膜トランジスタ、前記薄膜トランジスタのドレイン電極と共通電圧間に連結する液晶キャパシター及び前記薄膜トランジスタのドレイン電極と共通電圧に連結されるストレージキャパシターを含む。前記液晶キャパシターＣＬＣは画素電極と共通電極間に印加されるデータ信号すなわち、前記補正された第１映像信号または前記補正された第２映像信号によって所定の配向状態を有して、前記配向状態によって映像の階調が表現される。
【００４８】
前記ＲＦ部２２０は前記移動通信端末機の通信を遂行する。前記ＲＦ部２２０は送信される信号の周波数を上昇変換及び増幅するＲＦ送信機と、受信される信号を低雑音増幅して周波数を下降変換するＲＦ受信機などを含む。
【００４９】
前記オーディオ回路部２３０は前記ＲＦ受信機から信号の供給を受けてオーディオ信号を再生する。
【００５０】
図２Ｂは前記図２Ａの映像補正装置２６０の映像補正動作を示すブロック図である。
【００５１】
図２Ｂを参照すると、前記映像補正装置２６０は比較部２６１、補正部２６４を具備する。
【００５２】
前記比較部２６１は第１比較部２６２及び第２比較部２６３を具備する。
【００５３】
前記第１比較部２６２は前記メモリー部２５０から前記第１映像信号または前記第２映像信号の供給を受けてホワイトバランシング基準信号と比較して第１偏差信号を発生させて、前記第１偏差信号を第１補正部２６５に供給する。
【００５４】
前記第２比較部２６３は前記メモリー部２５０から前記第１映像信号または前記第２映像信号の供給を受けてガンマ補正基準信号と比較して第２偏差信号を発生させて、前記第２偏差信号を第２補正部２６６に供給する。
【００５５】
前記第１補正部２６５は前記第１偏差信号の供給を受けて、前記第１偏差信号によってホワイトバランシングされた前記第１映像信号または前記第２映像信号を前記タイミング制御器２７０に供給する。
【００５６】
前記第２補正部２６６は前記第２偏差信号の供給を受けて、前記第２偏差信号によってガンマ補正された前記第１映像信号または前記第２映像信号を前記タイミング制御器２７０に供給する。
【００５７】
たとえば、前記第１偏差信号及び前記第２偏差信号が発生しない場合、前記第１映像信号または前記第２映像信号に対するホワイトバランシング及びガンマ補正がそれぞれ前記第１補正部２６５及び前記第２補正部２６６により遂行されない。その結果前記第１映像信号または前記第２映像信号がそのまま前記タイミング制御器２７０に供給される。
【００５８】
前記第１偏差信号が発生しなくて、前記第２偏差信号が発生する場合、前記第１映像信号または前記第２映像信号に対するホワイトバランシングは前記第１補正部２６５により遂行されないが、前記第２補正部２６６により前記第２偏差信号によってガンマ補正が遂行される。その結果ホワイトバランシングは遂行されなかったが、第２補正部２６６によりガンマ補正された第１映像信号または第２映像信号が前記タイミング制御器２７０に供給される。
【００５９】
前記第１偏差信号が発生して、前記第２偏差信号が発生しない場合、前記第１映像信号または前記第２映像信号に対するホワイトバランシングが前記第１補正部２６５により遂行されるが前記第２補正部２６６によりガンマ補正は遂行されない。その結果前記第１補正部２６５によりホワイトバランシングされた前記第１映像信号または前記第２映像信号が前記タイミング制御器２７０に供給される。
【００６０】
前記第１偏差信号及び前記第２偏差信号が発生する場合、前記第１補正部２６５及び前記第２補正部２６６により前記第１映像信号または前記第２映像信号がそれぞれホワイトバランシング及びガンマ補正されて前記タイミング制御器２７０に供給される。
【図面の簡単な説明】
【００６１】
【図１Ａ】本発明の第１実施形態による移動通信端末機の回路構成を示すブロック図である。
【図１Ｂ】図１Ａのタイミング制御器１６０の映像補正動作を示すブロック図である。
【図２Ａ】本発明の第２実施形態による移動通信端末機の回路構成を示すブロック図である。
【図２Ｂ】図２Ａの映像補正装置２６０の映像補正動作を示すブロック図である。
【図１Ａ】
2006311471.tif 000003
【図１Ｂ】
2006311471.tif 000004
【図２Ａ】
2006311471.tif 000005
【図２Ｂ】
2006311471.tif 000006